(57)【要約】【課題】係合時のロック状態を安定させつつ、ガタ付きを防止できるコネクタを提供する。【解決手段】一組のコネクタハウジング１０，３０からなり、一方のコネクタハウジング１０に可撓性を有し、先端部に係止部１７を具備するロックアーム１６と、他方のコネクタハウジング３０に突設された係合突起３７とを備え、両コネクタハウジング１０，３０を嵌合する際に、ロックアーム１６が弾性変形をしつつ、係止部１７が係合突起３７を乗越え、ロックアーム１６が弾性復帰することで係合突起３７の背面３７ｂに係止部１７が係止されるコネクタ１に、係合突起３７の後方に行くにしたがって、高くなるテーパー状の傾斜面３８ａを設け、係合突起３７の背面３７ｂに係止部１７が係止された状態で、係止部１７を傾斜面３８ａ上に位置させる。【選択図】図３
2009211996.tif 000002
【特許請求の範囲】
【請求項１】
一組のコネクタハウジングからなり、一方のコネクタハウジングに可撓性を有し、先端部に係止部を具備するロックアームと、他方のコネクタハウジングに突設された係合突起とを備え、
両コネクタハウジングを嵌合する際に、ロックアームが弾性変形をしつつ、係止部が係合突起を乗越え、ロックアームが弾性復帰することで係合突起の背面に係止部が係止されるコネクタであって、
係合突起の後方に行くにしたがって、高くなるテーパー状の傾斜面を備え、
係合突起の背面に係止部が係止された状態で、係止部が傾斜面上に位置することを特徴とするコネクタ。
【発明の詳細な説明】
【技術分野】
【０００１】
本発明は、嵌合状態でのガタ付きを防止するコネクタに関する。
【背景技術】
【０００２】
この種の従来のコネクタとして、例えば、特許文献１、２に開示されたものが知られている。特許文献１のコネクタのロック構造は、図４、図５に示すように、一対のコネクタハウジング１１０，１３０から構成され、一方のコネクタハウジング１１０に設けられたロックアーム１１６の係止部１１７と他方のコネクタハウジング１３０の係合部１３７とを係合させることで、両コネクタハウジング１１０，１３０を嵌合させる構造である。係合部１３７は、対向する一対の突出部１３７ａ，１３７ｂで構成され、これら突出部１３７ａ，１３７ｂの間にロックアーム１１６の係止部１１７を嵌入することでガタ付きを防止している。
【０００３】
また、特許文献２のコネクタのロック構造は、図６に示すように、一方のコネクタハウジング２１０に設けられたロックアーム２１６の係止部２１７と他方のコネクタハウジング２３０の係合部２３７とを係合させる構成は、特許文献１と同様であるが、係合部２３７の構成が異なっている。特許文献２の係合部２３７には、根元部分が徐々に太くなるテーパー状のガタ止部２３８が形成されている。そして、係止部２１７が係合部１３７から離れる方向にガタ止部２３８上を滑り、ロック状態を安定させている。
【特許文献１】特開２００３−４５５６７号公報
【特許文献２】特開２００１−３１９７３２号公報
【発明の開示】
【発明が解決しようとする課題】
【０００４】
しかしながら、特許文献１のロック構造は、係止部１１７の前端面１１７ａと係合部１３７ａとの当接面１３７ｃがテーパー状に形成されており、コネクタ１０１の振動状態によって、係止部１１７が当接面１３７ｃから押出される形状である。さらに、突出部１３７ａ，１３７ｂの間隔に余裕がないので、係止部１１７が当接面１３７ｃから押出された時に振動が加わると、係止部１１７と係合部１３７の係合が解除する虞がある。
【０００５】
また、特許文献２のコネクタ２０１のロック構造は、両コネクタハウジング２１０，２３０が離間する方向に力が加わると、係止部２１７がガタ止部２３８上に乗り上げ、係止部２１７と係合部２３７との係り代が減少し、ロック状態が不安定になるとともに、両コネクタハウジング２１０，２３０が近接する方向に力が加わると、ガタ止部２３８によるガタ止めの効果が無くなり、ガタ付きが発生する構成である。
【０００６】
そこで、本発明は、前記した課題を解決すべくなされたものであり、係合時のロック状態を安定させつつ、ガタ付きを防止できるコネクタを提供することを目的とする。
【課題を解決するための手段】
【０００７】
請求項１の発明は、一組のコネクタハウジングからなり、一方のコネクタハウジングに可撓性を有し、先端部に係止部を具備するロックアームと、他方のコネクタハウジングに突設された係合突起とを備え、両コネクタハウジングを嵌合する際に、ロックアームが弾性変形をしつつ、係止部が係合突起を乗越え、ロックアームが弾性復帰することで係合突起の背面に係止部が係止されるコネクタであって、係合突起の後方に行くにしたがって、高くなるテーパー状の傾斜面を備え、係合突起の背面に係止部が係止された状態で、係止部が傾斜面上に位置することを特徴とする。
【発明の効果】
【０００８】
以上説明したように、請求項１の発明によれば、ロックアームの係止部が傾斜面上に位置することで、ロックアームが弾性復帰する際の弾性力によって、係止部が係合突起の背面に当接しつつ、背面に向かって付勢保持されるため、ガタ付きの発生を防止できる。
【０００９】
また、両コネクタハウジングが離間する方向に力が加わった場合には、係止部が傾斜面上を滑り降りて係合突起の背面に当接するため、係止部と係合部との係り代が十分に確保され、安定したロック状態が得られる。
【発明を実施するための最良の形態】
【００１０】
以下、本発明の一実施形態を図面に基づいて説明する。図１〜図３は本発明の一実施形態を示し、図１は一組のコネクタハウジングが分離した状態を示す斜視図、図２は図１のＡ−Ａ線に沿った断面図、図３は一組のコネクタハウジングが嵌合した状態を示す断面図である。
【００１１】
本願のコネクタ１を構成する一組のコネクタハウジング１０，３０には、図１に示すように、それぞれに４列の端子収容室１１が形成されている。各端子収容室１１のそれぞれには、図示しない端子金具が電線の一端に接続された状態で収容される。図２に示すように両コネクタハウジング１０，３０が嵌合した状態で、各端子収容室１１に収容された端子金具が電気的に接続される。
【００１２】
図の左側に、雌側端子金具（図示せず）が配置された雌側コネクタハウジング１０（一方のコネクタハウジング）、右側に雄側端子金具が配置された雄側コネクタハウジング３０（他方のコネクタハウジング）に図示されている。
【００１３】
雌側コネクタハウジング１０は、端子収容室１１を備えた端子収容ブロック１２が中心部分に位置し、端子収容ブロック１２の外周に雄側収容空間１３を挟んで外筒部１４が形成されている。雄側コネクタハウジング３０は、内筒部３４によって内部に雌側収容空間３３が形成され、この雌側収容空間３３に雄側端子３５が突出するように配置されている。両コネクタハウジング１０，３０は、嵌合した状態で、雌側収容空間３３に端子収容ブロック１２が収容されつつ、雄側収容空間１３に内筒部３４が収容される。
【００１４】
また、図中の外筒部１４上面には、ロックアーム１６が形成され、ロックアーム１６に対応する内筒部３４上面には、ロックビーク３７（係合部）が形成されている。
【００１５】
ロックビーク３７は、図２、図３に示されるように、内筒部３４の上面に上方に向かって突設され、雄側コネクタハウジング３０の前面側３０ａに後方へ行くにしたがって高くなるテーパー状の乗越え面３７ａと、雄側コネクタハウジング３０の背面側３０ｂに図の上下方向に沿った背面３７ｂとを備えている。また、ロックビーク３７の後方には、傾斜突部３８が形成されている。
【００１６】
傾斜突部３８は、内筒部３４の上面の上方に向かって突設され、後方へ行くにしたがって高くなるテーパー状の傾斜面３８ａを備えている。
【００１７】
ロックアーム１６は、略コ字形状を有し、コ字の開口部分が外筒部１４に接続され、コ字の底部分が係止部１７として、ロックビーク３７と係合し、ロックビーク３７と外筒部１４との間のアーム部１６ａが可撓性を備え、図の上下方向に撓み変形するように構成されている。
【００１８】
次に、両コネクタハウジング１０，３０を嵌合する際の各部位の動きを説明する。図２に示すように、両コネクタハウジング１０，３０を対向させ、内筒部３４を外筒部１４に挿入する。すると、係止部１７の先端部１７ａがロックビーク３７の乗越え面３７ａに当接する。そのまま内筒部３４を外筒部１４へ挿入し続けると、乗越え面３７ａによって係止部１７は図の上方へ押出され、ロックアーム１６が上方へ撓み変形する。さらに内筒部３４を外筒部１４へ挿入すると、係止部１７がロックビーク３７を乗越え、ロックアーム１６が弾性復帰して、係止部１７がロックビーク３７の背面３７ｂ側、且つ傾斜突部３８の傾斜面３８ａ上へ移動する。これにより、係止部１７とロックビーク３７が両コネクタハウジング１０，３０が離間する方向に力が加わった場合に、係止部１７とロックビーク３７の背面３７ｂと係合が係合し、両コネクタハウジング１０，３０の嵌合が完了する。
【００１９】
両コネクタハウジング１０，３０の嵌合が完了した状態で、内筒部３４を外筒部１４にさらに押込む方向へ力が加わると、係止部１７は傾斜面３８ａ上を上りつつ、ロックアーム１６が撓み変形する。そして、内筒部３４を外筒部１４にさらに押込む方向へ力が無くなると、ロックアーム１６が弾性復帰する際の力が、係止部１７を介して、図の下方へ作用する。すると、係止部１７は傾斜面３８ａ上に位置しているために、傾斜面３８ａに対して、両コネクタハウジング１０，３０が離間する方向へ力が作用する。したがって、係止部１７は傾斜面３８ａを滑り降りて、ロックビーク３７の背面３７ｂに当接し、係合状態が安定するとともに、両コネクタハウジング１０，３０間のガタ付きが防止される。
【００２０】
また、両コネクタハウジング１０，３０の嵌合が完了した状態で、内筒部３４が外筒部１４から引抜かれる方向（両コネクタハウジング１０，３０が離間する方向）へ力が加わると、上記のように、係止部１７は傾斜面３８ａを滑り降りて、ロックビーク３７の背面３７ｂに当接し、係合状態が安定するとともに、両コネクタハウジング１０，３０間のガタ付きが防止される。なお、傾斜突部３８は、係止部１７が背面３７ｂに近づくにしたがって、傾斜面３８ａの高さが低くなるように設定されているため、係止部１７とロックビーク３７とが係合する際には、充分な係り代が確保され、ロック保持力の低下が防止されている。
【００２１】
上記構成のコネクタでは、ロックアームの係止部が傾斜面上に位置することで、ロックアームが弾性復帰する際の弾性力によって、係止部が係合突起の背面に当接しつつ、背面に向かって付勢保持されるため、ガタ付きの発生を防止できる。
【００２２】
また、両コネクタハウジングが離間する方向に力が加わった場合には、係止部が傾斜面上を滑り降りて係合突起の背面に当接するため、係止部と係合部との係り代が十分に確保され、安定したロック状態が得られる。
【００２３】
なお、本実施形態では、雌側のコネクタハウジングにロックアーム、雄側のコネクタハウジングにロックビーク、および傾斜突部を設ける構成について説明したが、雌雄逆側のコネクタハウジングにロックアーム、ロックビーク、および傾斜突部を配置する構成としても同様の作用効果が得られる。
【００２４】
また、既に完成しているコネクタについても、ロックビークが配置される側のコネクタハウジングのみを変更するだけで対応できるため、高い汎用性を備えているとともに、低コストで充分な作用効果が得られる。
【図面の簡単な説明】
【００２５】
【図１】本発明の一実施形態を示し、一組のコネクタハウジングが分離した状態を示す斜視図である。
【図２】本発明の一実施形態を示し、図１のＡ−Ａ線に沿った断面図である。
【図３】本発明の一実施形態を示し、一組のコネクタハウジングが嵌合した状態を示す断面図である。
【図４】従来例のコネクタの断面図である。
【図５】図４のＢ部拡大図である。
【図６】別の従来例のコネクタの要部拡大断面図である。
【符号の説明】
【００２６】
１…コネクタ
１０…雌側コネクタハウジング（一方のコネクタハウジング）
１６…ロックアーム
１７…係止部
３０…雄側コネクタハウジング（他方のコネクタハウジング）
３７…ロックビーク（係合突起）
３７ｂ…背面
３８ａ…傾斜面
【図１】
2009211996.tif 000003
【図２】
2009211996.tif 000004
【図３】
2009211996.tif 000005
【図４】
2009211996.tif 000006
【図５】
2009211996.tif 000007
【図６】
2009211996.tif 000008